(57)【要約】【課題】捕虫器において、煩雑なメンテナンスを行うことなく虫を捕獲できるようにする。【解決手段】捕虫器１は、虫２を吸引するための開口４１を有した外郭４と、開口４１から外郭４内に虫２を吸引する吸引部５と、開口４１と吸引部５との間に設けられ虫２を捕獲するための捕獲部６と、捕獲部６を押圧又は除圧する加圧部８とを備える。捕獲部６は、開口４１から吸引部５に向かうに連れて内径が漸減する穴６１を有する。加圧部８による押圧動作により穴６１の断面積を減少させ、穴６１に捕獲された虫２を挟圧して小さくする。その後、加圧部８による除圧動作により上記断面積を増加させ、挟圧された虫２が穴に通過し易くしてから、虫２を穴６１から吸引する。これにより、虫２が穴６１から確実に除去され、捕獲部６の目詰まりを防止できる。【選択図】図２
2010104240.tif 000002
【特許請求の範囲】
【請求項１】
虫を吸引して捕獲する捕虫器であって、
虫を吸引するための開口を有した外郭と、
前記開口から前記外郭内に虫を吸引する吸引手段と、
前記開口と吸引手段との間に設けられ、該開口から該吸引手段に向かうに連れて内径が漸減する穴を有する、虫を捕獲するための捕獲部と、
前記捕獲部を押圧又は除圧することによって、前記穴の断面積を増加又は減少させる加圧手段と、を備え、
前記加圧手段による押圧動作により前記穴の断面積を減少させたとき、該穴に捕獲された虫を挟圧し、前記加圧手段による除圧動作により該断面積を増加させたとき、前記挟圧された虫を前記吸引手段により該穴から吸引することを特徴とする捕虫器。
【請求項２】
前記穴の断面は、前記加圧手段による虫の挟圧方向が短径の楕円又は長方形状とされていることを特徴とする請求項１に記載の捕虫器。
【発明の詳細な説明】
【技術分野】
【０００１】
本発明は、虫を吸引して捕獲する捕虫器に関する。
【背景技術】
【０００２】
従来から、この種の捕虫器として、虫を吸引するための開口を有した外郭と、開口から外郭内に虫を吸引する吸引装置と、開口と吸引装置との間に設けられ該装置に吸引される虫を捕獲する捕獲部とを備えたものが知られている。捕獲部は、通気性を有し、且つ虫が通り抜けることができない構造とされ、例えば、ネット等で構成される。
【０００３】
しかしながら、上述のような従来の捕虫器においては、虫の捕獲に伴って捕獲部に目詰まりが発生し、虫の吸引能力が低下することがあるため、捕獲部を清掃したり、新しいものに交換する等のメンテナンスが必要となる。
【０００４】
ここで、ゴキブリ用の捕獲器具として、掃除機の吸引口に取り付けられ、掃除機の吸引力により吸い込まれる虫を捕獲するノズル型の器具がある（特許文献１参照）。しかし、このような器具においても、吸引能力の低下に伴う上記問題を解決できない。
【特許文献１】特開２００１−３２７２３８号公報
【発明の開示】
【発明が解決しようとする課題】
【０００５】
本発明は、上記問題を解決するためになされたものであり、煩雑なメンテナンスを行うことなく虫を捕獲できる捕虫器を提供することを目的とする。
【課題を解決するための手段】
【０００６】
上記目的を達成するために請求項１の発明は、虫を吸引して捕獲する捕虫器であって、虫を吸引するための開口を有した外郭と、前記開口から前記外郭内に虫を吸引する吸引手段と、前記開口と吸引手段との間に設けられ、該開口から該吸引手段に向かうに連れて内径が漸減する穴を有する、虫を捕獲するための捕獲部と、前記捕獲部を押圧又は除圧することによって、前記穴の断面積を増加又は減少させる加圧手段と、を備え、前記加圧手段による押圧動作により前記穴の断面積を減少させたとき、該穴に捕獲された虫を挟圧し、前記加圧手段による除圧動作により該断面積を増加させたとき、前記挟圧された虫を前記吸引手段により該穴から吸引するものである。
【０００７】
請求項２の発明は、請求項１に記載の発明において、前記穴の断面は、前記加圧手段による虫の挟圧方向が短径の楕円又は長方形状とされているものである。
【発明の効果】
【０００８】
請求項１の発明によれば、捕獲部の穴に捕獲された虫を、加圧手段による押圧動作により挟圧して小さくし、さらに加圧手段による除圧動作により穴を広げ、挟圧された虫が穴に通過し易くしてから虫を吸引するので、虫が穴から確実に除去され、捕獲部の目詰まりを防止できる。従って、捕虫器の捕虫効率を維持するために、捕獲部の清掃や交換等のメンテナンスを行う必要がなくなる。また、虫に電撃を与える電撃式の捕虫器と比較して、耳障りな電撃音等が発生することがなく、虫を静かに捕獲できる。
【０００９】
請求項２の発明によれば、穴が虫の挟圧方向に変形し易くなり、加圧手段の押圧力を低減できるので、捕虫器に大掛かりな吸引装置を用いる必要がない。従って、捕虫器の低電力化を図れる。
【発明を実施するための最良の形態】
【００１０】
本発明の一実施形態に係る捕虫器について図面を参照して説明する。図１、図２は本実施形態に係る捕虫器１の構成を示す。捕虫器１は、ハエや蚊等の害虫を吸引して捕獲するものであって、虫の多い屋外空間や、屋外空間に面した建物内の空間等に設置される。捕虫器１は、虫２を誘引する誘虫源である捕虫用の光源３と、光源３が取り付けられる外郭４とを備える。ここで、外郭４は、光源３から出射される光を出力し、且つ虫２を吸引するための開口４１を有している。また、捕虫器１は、開口４１から外郭４内に虫２を吸引する吸引部５と、吸引部５に吸引される虫２を捕獲するための捕獲部６と、捕獲部６に居る虫２を検知する検知部７と、検知部７の検知結果に応じて捕獲部６を押圧又は除圧する加圧部８と、虫２を受容する虫受け部９とを備える。
【００１１】
光源３は、紫外線を含有する光を出射する直管形状のランプであり、捕獲部６の前方に横向きにして設けられている。光源３の出射光に含まれる紫外線は、虫の走光曲線又は視感度曲線に基づいて設定されたＵＶ−Ａ（波長が３１５〜３８０ｎｍ）であり、高い誘虫効果を有している。光源３の種類としては、例えば、蛍光ランプや冷陰極ランプ、水銀ランプ、キセノンランプ等が挙げられる。光源３は、安定器１０を介して電源ボックス１１と接続されており、電源ボックス１１は、電源線１２により商用電源と接続される。
【００１２】
外郭４は、上述の各構成部品を収容可能な横長の箱形形状とされ、例えば、アルミ板金やアクリル樹脂等を用いて形成される。開口４１は、外郭４の前面に設けられ、光源３の出射光を無駄なく出力できる大きさを有している。外郭４の後側には、吸引部５を取り付けるための外方と連通された窓４２が設けられている。
【００１３】
吸引部５は、モータにより回転駆動されるファンであり、外郭４内の空気を窓４２から排出し、外郭４内に負圧を発生させることにより、虫２を吸引するようになっている。吸引部５の前方には、フィルタ５１が設けられており、吸引部５内に虫２が侵入するのを防止している。吸引部５は、上記のような構成に限られず、エアバキュームポンプで構成されるものであってもよい。吸引部５についても、上記同様に電源ボックス１１と接続される。
【００１４】
捕獲部６は、開口４１と吸引部５との間に設けられており、開口４１から吸引部５に向かうに連れて内径が漸減する複数の穴６１を有している。捕獲部６は、変形性の高い略方形部材で構成され、押圧されると容易に変形するようになっている。捕獲部６の材質としては、例えば、シリコンゴム、ウレタンゴム等の合成ゴムが挙げられる。穴６１は、吸引部５に吸引されて侵入してきた虫２を、加圧部８による押圧動作により捕獲又は挟圧するものである。開口４１側の穴径は、虫２が容易に通過する寸法に設定され、吸引部５側の穴径は、虫２を捕獲又は挟圧し易くする寸法に設定される。穴６１の断面は、加圧部８による虫２の挟圧方向が短径の楕円形状とされている。例えば、捕虫器１の捕虫対象をイエバエ、ユスリカ（体長が５ｍｍ程度）とする場合、開口４１側の長径は２０ｍｍ、同短径は１０ｍｍ程度で、吸引部５側の長径は１０ｍｍ、同短径は５ｍｍ程度であることが望ましい。捕獲部６の厚みは、２０〜３０ｍｍ程度であることが望ましい。ここで、穴６１の断面は、虫の挟圧方向が短径の長方形状であってもよい。
【００１５】
検知部７は、アクティブ型の赤外線センサで構成されており、赤外線を投光する発光部７１と、投光された赤外線を受光する受光部７２とが、捕獲部６前方に互いに対向するよう設けられている。検知部７は、穴６１に侵入する虫２をカウントし、虫２の数量が一定量を超えたときに加圧部８に駆動信号を送出する。また、検知部７は上記のような構成に限られず、捕獲部６の前面をカメラにより撮像し、その画像データに基づき、穴６１に捕獲された虫２の数量をカウントするような構成であってもよい。また、捕獲部６前方の圧力と捕獲部６後方の圧力を測定し、互いの測定値の差分に基づき虫２の数量を算出するようなものであってよい。
【００１６】
加圧部８は、捕獲部６を押圧又は除圧することによって、穴６１の断面積を増加又は減少させるものであり、捕獲部６の上方に設けられている。加圧部８は、例えば、油圧シリンダや電動ジャッキ等で構成される。加圧部８についても、上記同様に電源ボックス１１と接続される。
【００１７】
虫受け部９は、捕獲部６後方の外郭４下側部分に設けられており、挟圧された後に穴６１から吸引される虫２を受容する。虫受け部９は、受容した虫２をユーザが廃棄できるように、外郭４に対して着脱自在とされている。虫受け部９は、加圧部８による押圧動作及び除圧動作に応じて自動開閉する蓋９１を有している。蓋９１は、加圧部８による押圧動作時には閉状態となり、加圧部８による除圧動作時には開状態となる。
【００１８】
ここで、図３を参照して加圧部８について詳述する。加圧部８は、外郭４（図２参照）に取り付けられるベース８１と、ベース８１から下方に延出する前側のシリンダ８２及び後側のシリンダ８３と、シリンダ８２の先端に固定される板８４と、シリンダ８３の先端に固定される板８５とを有している。板８４は、捕獲部６の前部上面に配置され、板８５は捕獲部６の後部上面に配置される。上記のような構成により、加圧部８は、捕獲部６の前部と後部とを個別に押圧又は除圧することが可能となり、穴６１に侵入した虫の状況に応じて上記押圧又は除圧部位を制御して、穴６１の形状を種々に変形させる。
【００１９】
上記のように構成された捕虫器１の作用について図４及び上述の図２を参照して説明する。図４（ａ）乃至（ｄ）は、虫２が捕獲部６の穴６１に捕獲され、その後、穴６１から吸引される様子を時系列に示す。まず、図４（ａ）に示すように、捕獲部６は除圧状態にあり、穴６１が変形していないものとする。捕虫器１の電源が投入されると、光源３が点灯すると共に吸引部５が運転を開始する。併せて加圧部８は、図４（ｂ）に示すように、捕獲部６の後部を押圧し、穴６１後部の断面積を減少させる。これにより、穴６１に虫２を捕獲可能な狭小部分が生成される。ここで、捕虫器１の捕虫対象をイエバエ、ユスリカとする場合、穴６１後部の短径を０．５〜１ｍｍ程度にすることが望ましい。光源３からの光により誘引され、外郭４内に侵入した虫２は、吸引部５により穴６１から吸引され、穴６１の狭小部分に押し込められる。
【００２０】
穴６１に捕獲された虫２が増加すると、検知部７が加圧部８に駆動信号を送出し、加圧部８は、図４（ｃ）に示すように、捕獲部６の前部を押圧すると共に、捕獲部６の後部をより大きな力で押圧し、穴６１全体の断面積を減少させる。捕獲された虫２は挟圧され、その結果、潰れて小さくなる。加圧部８は、所定時間経過すると、図４（ｄ）に示すように、捕獲部６の前部及び後部を除圧し、穴６１の断面積を増加させる。挟圧された虫２は、吸引部５により穴６１から吸引される。加圧部８の除圧動作に伴って、虫受け部９の蓋９１が開状態となり、吸引された虫２は、落下して虫受け部９に受容される。蓋９１は、加圧部８の押圧動作が開始されると閉状態となり、虫受け部９に収容された虫２の死骸が吸引部５に吸引されるのを防止する。
【００２１】
以上、本実施形態に係る捕虫器１によれば、捕獲部６の穴６１に捕獲された虫２を、加圧部８による押圧動作により挟圧して小さくし、さらに加圧部８による除圧動作により穴６１を広げて、挟圧された虫２が穴６１に通過し易くしてから虫２を吸引するので、虫２が穴６１から確実に除去され、捕獲部６の目詰まりを防止できる。従って、捕虫器１の捕虫効率を維持するために、捕獲部６の清掃や交換等のメンテナンスを行う必要がなくなる。また、虫に電撃を与える電撃式の捕虫器と比較して、耳障りな電撃音等が発生することがなく、虫２を静かに捕獲できる。また、穴６１が虫の挟圧方向に変形し易くなるので、加圧部８の押圧力を低減でき、捕虫器１に大掛かりな吸引装置を用いる必要がない。従って、捕虫器１の低電力化を図れる。
【００２２】
なお、本発明は、上記実施形態の構成に限られず、発明の趣旨を変更しない範囲で種々の変形が可能である。例えば、上述の実施形態では誘虫源として光源３を用いた例を示したが、これに限られず、誘虫効果のある匂い源や音源等を用いてもよい。匂い源としては、捕獲する虫の性フェロモンや集合フェロモン、虫の餌となる動植物抽出物、これらに類似する匂いを有するもの等が挙げられる。音源としては、虫の羽ばたき音のような超音波成分を含んだ音を発するものが挙げられる。また、ＣＯ２発生装置により虫を誘引するようにしてもよい。
【図面の簡単な説明】
【００２３】
【図１】本発明の一実施形態に係る捕虫器の斜視図。
【図２】上記捕虫器の側断面図。
【図３】上記捕虫器の捕獲部及び加圧部の斜視図。
【図４】（ａ）は捕獲部の初期状態を示す図、（ｂ）は虫を捕獲部の穴に吸引する状態を示す図、（ｃ）は捕獲した虫を挟圧する状態を示す図、（ｄ）は挟圧した虫を吸引する状態を示す図。
【符号の説明】
【００２４】
１  捕虫器
２  虫
４  外郭
４１  開口
５  吸引部（吸引手段）
６  捕獲部
６１  穴
８  加圧部（加圧手段）
９  虫受け部
【図１】
2010104240.tif 000003
【図２】
2010104240.tif 000004
【図３】
2010104240.tif 000005
【図４】
2010104240.tif 000006